(57)【特許請求の範囲】
【請求項１】
歯科修復用の光発生ノズルに接触させて使用される歯牙根管用接着剤の照射硬化器具において、前記照射硬化器具は、円筒形の外周に先端に向って細く縮小された複数の階段を形成し、該階段には、各々光が垂直に射出する平坦面を形成し、該階段の先端にも平坦面を形成し、且つ該照射硬化器具には、基部が該光発生ノズルに連結する接続部を形成した事を特徴する歯科修復用接着剤の照射硬化器具。
【発明の詳細な説明】
【技術分野】
【０００１】  本発明は、歯牙根管の窩洞内に塗布した接着剤が完全に硬化しないので、光の照射によって先端までの接着剤を確実に硬化させる歯科修復用接着剤等の照射硬化器具に関するものである。
【背景技術】
【０００２】  従来この種の歯科修復材料及び接着剤は、特定の光の波長に反応する触媒を利用し、材質、その物に光を照射させる事で重合硬化させることが普通に実施される。
また、単に歯冠修復のみの場合は、充填物の厚さを指示通りに行えば、確実に重合用光線が修復物に照射され硬化するが、歯牙根管内における接着剤、修復材の場合では、光発生装置より遠い場合に於いては１０ｍｍと言う場合もあり、光発生ノズルの太さは直径１０ｍｍ前後で細い歯科歯牙根管内に挿入が出来ないので光重合硬化の効果が全く期待できない問題点がある。
その為に重合用光線の到達しにくい所には、未重合の接着層や充填物が存在し、これが原因となって臨床的脱離や変色及び未重合物質による生体為害作用が懸念されるものである。【０００３】  それ等を解消するために現在では、デュアルキュアーと称する光重合と触媒重合の２種類の機能を持たせた材料が出現されている。
然しながら、該デュアルキュアー型は、未重合層が残る可能性を払拭できず、その決定的な相違点としては、光を照射した場合と比較して見ると、硬化後の硬度、対磨耗性等が決定的に劣ると云う事実が医療研究機関で立証されている現状である。
この様な危険性を回避する為には、該デュアルキュアーのタイプの歯科材料に対しても、硬化時もしくは硬化後に於いても充分な重合硬化用光線を満遍なく照射し、完全に硬化させる必要性が求められている問題点もある。
【発明の開示】
【発明が解決しようとする課題】
【０００４】  従来の技術の有するこの危険性を回避するためには、該デュアルキュアーのタイプの歯科材料に対しても、硬化時、硬化後に於いても充分な重合硬化用光線を満遍なく照射する必要性が求められている。
また、単に歯冠修復のみの場合でも、充填物の厚さと指示通りに行えば確実に重合用光線が修復物に照射されて硬化するが、歯牙根管内における接着剤、修復材の場合では、光発生装置より遠い場合に於いて１０ｍｍと言う場合もあり、光発生装置の光発生ノズルの大きさが直径１０ｍｍ前後による問題で光重合の効果が全く期待できないものである。
そこで、本発明の目的とする所は、歯牙根管内に塗布する歯科修復用の接着剤や充填材に充分に重合接着する光線を透光照射するための歯科修復用接着剤等の照射硬化器具を提供するものである。
【課題を解決するための手段】
【０００５】  上記の目的を達成するために、本発明によれば、歯牙根管の内部に挿入する照射硬化器具は、円筒形の外周に対して先端に向って細く縮小した数段の階段を形成する。この階段には先端面及び各々に水平な平坦面を設け、この照射硬化器具を歯牙根管に挿入し、その基端より光を透光照射することによって、通過時の光によって滅衰のほとんどない状態の強い重合用光線を歯牙根管の内壁及び根尖部にも透光照射する事が出来るものである。
【発明の効果】
【０００６】  本発明は、以上説明したように構成されているので、ブラシ等で歯牙根管の内部に塗布した接着剤及び充填材等が完全に硬化しない欠点を解決できる効果と、塗布した接着剤等を歯牙根管の内壁面及び根尖部に至る全体を容易、確実に透光照射して完全に硬化重合できる効果がある。
そして、照射硬化器具は、円筒形で外周に順次細く縮小された外周の先端に向って階段状の階段を形成し、該階段には各々平坦面を設けてあるので、該照射硬化器具に照射された光は、各平坦面より直角な角度の方向に照射するため、該歯牙根管の先端及び内壁全体に光が当たり容易に光硬化される効果がある。また、該照射硬化器具の最先端に設けた平坦面によっては、光が歯牙根管の先頭の根尖部まで当たるために確実に硬化され、事後の作業が敏速にできる効果がある。
更に、該照射硬化器具には、端部に接続部を設けて光発生ノズルの中心に正確に当たるので、光照射の減衰を抑える効果がある。
【発明を実施するための最良の形態】
【０００７】  以上のように構成された照射硬化器具は、修復される歯牙根管の内部を消毒した後に、その内部に接着剤又は固化材等を塗布し、また乾燥硬化しない内に該照射硬化器具の基端を光発生ノズルに接続し、先端を該歯牙根管の内部先端まで挿入し、各々平坦面より光を直角な角度を持つように垂直に透光させ敏速に内壁全体を固化させ、事後の処置を容易とするものである。
【実施例】
【０００８】  次に、本発明の実施例を図面について説明すると、図１、図２に示す如く、照射硬化器具（１）は、歯科修復用の各種の光発生ノズル（１２）に基部の連結部（１１）を以って着脱自在に装着される。該照射硬化器具（１）は、全体が透明性の合成樹脂等より円筒形に形成され、その円筒形には、先頭に向って細く縮小された数段の階段を形成し、該階段には、基部より先頭に向って第１平坦面（２）、第２平坦面（３）、第３平坦面（４）及び最先端にも第４平坦面（５）を各々複数段に形成してある。該第１平坦面（２）、該第２平坦面（３）、該第３平坦面（４）及び最先端の該第４平坦面（５）には、各々矢印（６）（６）で示す如く、光が平坦面より直角方向に光射するように構成されている。【０００９】  更に、図３に示される実施例では、歯槽骨（１０）の外周の歯肉（９）を示し、該歯肉（９）の内部に位置する歯牙根管（８）に対して、該歯牙根管（８）内面に接着剤（７）を注入する。また、必要に応じて各種の固化材を注入使用することもある。
また、該歯牙根管（８）には、内壁に塗布した接着剤（２）が乾燥硬化されない内に該光発生ノズル（１２）に取着した該照射硬化器具（１）を先端まで挿入し、直進する透光は、該歯牙根管（８）の内壁全面に満遍なく照射されるものである。【００１０】  次に、光の性質について、透光過性物体内に照射された光がその物体より外部に射出される場合は、射出角度が４５度以下の鋭角であればあるほど、その物体内部側表面に於いて反射され外部にはほとんど照射透光されない性質を有するものである。
また、一度透光過性物体内に照射された光線は、その内表面に到達する角度が鋭角であればあるほど、その物体内表面で反射を繰り返し、その物体のもつ光抵抗値の滅衰を除いた以外の光量を保って、より遠方まで届くものである。
従って、照射光の照射方向に対して理想的には、直角な角度を持つ光射出面を形成する。
更に、本発明の照射硬化器具を使用した場合は、先端の平坦面よりの光を照射した場合は、先端より２．７ｍｍの深さまで硬化が認められている。
【図面の簡単な説明】
【００１１】
【図１】  本発明の照射硬化器具の縦断面図である。
【図２】  同じく本発明の照射硬化器具の平面図である。
【図３】  本発明の照射硬化器具を光発生ノズルに装着して歯牙根管の内部に挿入した状態の一部断面形状を示す外観図である。
【符号の説明】
【００１２】１          照射硬化器具
２          第１平坦面
３          第２平坦面
４          第３平坦面
５          第４平坦面
６          矢印
７          接着剤
８          歯牙根管
９          歯肉
１０        歯槽骨
１１        連結部
１２        光発生ノズル
【図１】
0004725732.tif 000002
【図２】
0004725732.tif 000003
【図３】
0004725732.tif 000004